(57)【要約】【課題】ヘリカルスキャン方式による磁気テープへの情報記録再生装置における、ドラムへの巻付け開始点及び終了点近傍でヘッドとテープとのスペーシングが増加し、安定したヘッド出力が得られないといった問題を解決する。【解決手段】第１のトラック（１４Ａ、１４Ｃ）が第２のトラック（１４Ｂ、１４Ｄ）にはさまれた第１のトラック幅を有する第１の標準領域部と、第１のトラック開始部に所定の長さに渡って第１のトラック両側に第２のトラック（１４Ｂ、１４Ｄ）が形成されない第１のトラック幅よりも広いトラック幅を有する付加領域部とから構成され、第２のトラック（１４Ｂ、１４Ｄ）は、第１のトラック（１４Ａ、１４Ｃ）にはさまれた第１のトラック幅と実質的に等しいトラック幅を有する第２の標準領域部から構成され、磁気ヘッドの幅は第１の標準領域部の幅より広いヘリカルスキャン方式の情報記録再生装置。【選択図】　図７
2004013960.tif 000002
【特許請求の範囲】
【請求項１】
複数の磁気ヘッドを搭載した回転ドラム（３）とテープ下端を螺旋状に案内するリードを有する固定ドラム（４）とにテープ（１）が巻きつけられ、テープ長手方向の移送と回転ドラム（３）の回転とにより、第１のアジマス角度を有する磁気ヘッド（２Ａ、２Ｃ）により形成される第１のトラック（１４Ａ、１４Ｃ）と、第１のアジマス角度とは異なる第２のアジマス角度を有する磁気ヘッド（２Ｂ、２Ｄ）により第１のトラック（１４Ａ、１４Ｃ）より遅れて形成される第２のトラック（１４Ｂ、１４Ｄ）が順次記録および再生されるヘリカルスキャン方式情報記録再生装置であって、
前記第１のトラック（１４Ａ、１４Ｃ）は前記第２のトラック（１４Ｂ、１４Ｄ）にはさまれた第１のトラック幅を有する第１の標準領域部と、前記第１のトラック開始部に所定の長さに渡って前記第１のトラック両側に前記第２のトラック（１４Ｂ、１４Ｄ）が形成されない前記第１のトラック幅よりも広いトラック幅を有する付加領域部とから構成され、前記第２のトラック（１４Ｂ、１４Ｄ）は前記第１のトラック（１４Ａ、１４Ｃ）にはさまれた第１のトラック幅と実質的に等しいトラック幅を有する第２の標準領域部から構成され、前記磁気ヘッドの幅は前記第１の標準領域部の幅より広いことを特徴とするヘリカルスキャン方式情報記録再生装置。
【請求項２】
複数の磁気ヘッドを搭載した回転ドラム（３）とテープ下端を螺旋状に案内するリードを有する固定ドラム（４）とにテープ（１）が巻きつけられ、テープ長手方向の移送と回転ドラム（３）の回転とにより、第１のアジマス角度を有する磁気ヘッド（２Ａ、２Ｃ）により形成される第１のトラック（１４Ａ、１４Ｃ）と、第１のアジマス角度とは異なる第２のアジマス角度を有する磁気ヘッド（２Ｂ、２Ｄ）により第１のトラック（１４Ａ、１４Ｃ）より遅れて形成される第２のトラック（１４Ｂ、１４Ｄ）が順次記録および再生されるヘリカルスキャン方式情報記録再生装置であって、
前記第１のトラック（１４Ａ、１４Ｃ）は前記第２のトラック（１４Ｂ、１４Ｄ）にはさまれた第１のトラック幅を有する第１の標準領域部と、前記第１のトラック終了部に所定の長さに渡って前記第１のトラック両側に前記第２のトラック（１４Ｂ、１４Ｄ）が形成されない前記第１のトラック幅よりも広いトラック幅を有する付加領域部とから構成され、前記第２のトラック（１４Ｂ、１４Ｄ）は前記第１のトラック（１４Ａ、１４Ｃ）にはさまれた第１のトラック幅と実質的に等しいトラック幅を有する第２の標準領域部から構成され、前記磁気ヘッドの幅は前記第１の標準領域部の幅より広いことを特徴とするヘリカルスキャン方式情報記録再生装置。
【請求項３】
複数の磁気ヘッドを搭載した回転ドラム（３）とテープ下端を螺旋状に案内するリードを有する固定ドラム（４）とにテープ（１）が巻きつけられ、テープ長手方向の移送と回転ドラム（３）の回転とにより、第１のアジマス角度を有する磁気ヘッド（２Ａ、２Ｃ）により形成される第１のトラック（１４Ａ、１４Ｃ）と、第１のアジマス角度とは異なる第２のアジマス角度を有する磁気ヘッド（２Ｂ、２Ｄ）により第１のトラック（１４Ａ、１４Ｃ）より遅れて形成される第２のトラック（１４Ｂ、１４Ｄ）が順次記録および再生されるヘリカルスキャン方式情報記録再生装置であって、
前記第１のトラック（１４Ａ、１４Ｃ）は前記第２のトラック（１４Ｂ、１４Ｄ）にはさまれた第１のトラック幅を有する第１の標準領域部と、前記第１のトラック開始部に所定の長さに渡って前記第１のトラック両側に前記第２のトラック（１４Ｂ、１４Ｄ）が形成されない前記第１のトラック幅よりも広い第２のトラック幅を有する第１の付加領域部とから構成され、前記第２のトラック（１４Ｂ、１４Ｄ）は前記第１のトラック（１４Ａ、１４Ｃ）にはさまれた第１のトラック幅と実質的に等しいトラック幅を有する第２の標準領域部と、前記第２のトラック終了部に所定の長さに渡って前記第２のトラック両側に前記第１のトラック（１４Ａ、１４Ｃ）が形成されない前記第１のトラック幅よりも広いトラック幅を有する第２の付加領域部とから構成され、前記磁気ヘッドの幅は前記第１の標準領域部の幅より広いことを特徴とするヘリカルスキャン方式情報記録再生装置。
【請求項４】
トラック開始部に付加領域部の記録を行う磁気ヘッド幅の中心位置はヘッド頂点位置よりもテープ上端側へ偏移していることを特徴とする請求項１または請求項３記載のヘリカルスキャン方式情報記録再生装置。
【請求項５】
トラック終了部に付加領域部の記録を行う磁気ヘッド幅の中心位置はヘッド頂点位置よりもテープ下端側へ偏移していることを特徴とする請求項２または請求項３記載のヘリカルスキャン方式情報記録再生装置。
【発明の詳細な説明】
【０００１】
【発明の属する技術分野】
本発明は、テープ状記録媒体へヘリカルに信号の記録再生を行うビデオテープレコーダまたはテープストレージにおいて、アジマス記録により順次トラックを形成するヘリカルスキャン方式情報記録再生装置に関する。
【０００２】
【従来の技術】
従来、テープストリーマなどの情報記録装置は、複数の磁気ヘッドが搭載された回転ドラムと、固定ドラムとを備えている。ドラムに巻きつけられたテープの長手方向の移送と回転ドラムの回転による磁気ヘッドとテープとの相対的な移動とにより、テープ上に図１４に示すトラック（１Ａ、１Ｂ、１Ｃ、１Ｄ、・・・）を形成している。テープへの記録容量を高めるために、各トラック（１Ａ、１Ｂ、１Ｃ、１Ｄ、・・・）間には隙間のない、いわゆる、ガードバンドレス記録が行われている。
【０００３】
テープの下端部近傍（ドラムへのテープ巻き付け開始部分＝トラック開始部分）、およびテープ上端部近傍（ドラムへのテープ巻き付け終了部分＝トラック終了部分）は、磁気ヘッドとテープとの間の隙間（スペーシング）増加により、再生出力が低下する。このような状態における、磁気ヘッドの再生出力波形を図１５に示す。スペーシングによるヘッド再生出力劣化量ＤＨとＳ／Ｎ劣化量ＤＳとの関係は、一般的に、ＤＳ∝ＤＨ１／２で表される。この再生出力劣化を回避し、必要な信号のＳ／Ｎを確保するために、テープの下端部１ａからトラックの開始位置、およびテープの上端部１ｂからトラック終了位置までの余裕量ＳＬ、ＳＵが大きく（１ｍｍ以上に）設定されていた。
【０００４】
また、単純に余裕量ＳＬ、ＳＵを小さくした時、前述のトラック開始位置および終了位置の再生出力劣化が発生する。従って、この劣化した低い再生出力値を基準とした必要なＳ／Ｎを決める必要があった。
【０００５】
すなわち、ヘッド再生出力とトラック幅Ｗとは比例するため、信号のＳ／Ｎとトラック幅との関係は、Ｓ／Ｎ∝Ｗ１／２で表される。従って、再生出力劣化量ＤＨ分だけ、トラック全体の幅、すなわち、トラックピッチＴｐを広げて必要なＳ／Ｎを確保することがなされていた。
【０００６】
【発明が解決しようとする課題】
トラック開始位置からトラックの終了位置まで均一な磁気ヘッド出力を確保するためには、テープ上下端からトラックまでの余裕量ＳＬ、ＳＵを大きく確保しなければならなかった。また、テープ上の有効な記録面積を大きくするため、余裕量ＳＬ、ＳＵを小さくした時には、トラック開始点および終了点の劣化した出力値で必要なＳ／Ｎを確保する必要から、広いトラック幅が設定されてしまい、記録容量向上の妨げとなっていた。
【０００７】
本発明は、トラック開始位置および終了位置の磁気ヘッド出力劣化を防ぎ、かつテープ上への有効記録面積を増加させ記録容量の拡大が可能なヘリカルスキャン方式情報記録再生装置を提供することを目的とする。
【０００８】
【課題を解決するための手段】
上記目的を達成するため請求項１記載の発明は、複数の磁気ヘッドを搭載した回転ドラムとテープ下端を螺旋状に案内するリードを有する固定ドラムとにテープが巻きつけられ、テープ長手方向の移送と回転ドラムの回転とにより、第１のアジマス角度を有する磁気ヘッドにより形成される第１のトラックと、第１のアジマス角度とは異なる第２のアジマス角度を有する磁気ヘッドにより第１のトラックより遅れて形成される第２のトラックが順次記録および再生されるヘリカルスキャン方式情報記録再生装置であって、第１のトラックは第２のトラックにはさまれた第１のトラック幅を有する第１の標準領域部と、第１のトラック開始部に所定の長さに渡って第１のトラック両側に第２のトラックが形成されない第１のトラック幅よりも広いトラック幅を有する付加領域部とから構成され、第２のトラックは第１のトラックにはさまれた第１のトラック幅と実質的に等しいトラック幅を有する第２の標準領域部から構成され、磁気ヘッドの幅は第１の標準領域部の幅より広い構成としたものである。
【０００９】
上記構成によれば、トラック開始位置をテープ下端部に近づけることにより、トラック開始位置での磁気ヘッドとテープ間のスペーシング増加が発生する。しかし、トラック全体のトラック幅、すなわちトラックピッチ、を広げることなく、トラック開始位置近傍のみのトラック幅を広げることにより、再生可能なトラック幅が広くなることで、再生出力劣化を防止でき、記録容量を向上させることができる。
【００１０】
上記目的を達成するため請求項２記載の発明は、複数の磁気ヘッドを搭載した回転ドラムとテープ下端を螺旋状に案内するリードを有する固定ドラムとにテープが巻きつけられ、テープ長手方向の移送と回転ドラムの回転とにより、第１のアジマス角度を有する磁気ヘッドにより形成される第１のトラックと、第１のアジマス角度とは異なる第２のアジマス角度を有する磁気ヘッドにより第１のトラックより遅れて形成される第２のトラックが順次記録および再生されるヘリカルスキャン方式情報記録再生装置であって、第１のトラックは前記第２のトラックにはさまれた第１のトラック幅を有する第１の標準領域部と、第１のトラック終了部に所定の長さに渡って第１のトラック両側に第２のトラックが形成されない第１のトラック幅よりも広いトラック幅を有する付加領域部とから構成され、第２のトラックは第１のトラックにはさまれた第１のトラック幅と実質的に等しいトラック幅を有する第２の標準領域部から構成され、磁気ヘッドの幅は第１の標準領域部の幅より広い構成としたものである。
【００１１】
上記構成によれば、トラック終了位置をテープ上端部に近づけることにより、トラック終了位置での磁気ヘッドとテープ間のスペーシング増加が発生する。しかし、トラック全体のトラック幅、すなわちトラックピッチ、を広げることなく、トラック終了位置近傍のみのトラック幅を広げることにより、再生可能なトラック幅が広くなることで、再生出力劣化を防止でき、記録容量を向上させることができる。
【００１２】
上記目的を達成するため請求項３記載の発明は、複数の磁気ヘッドを搭載した回転ドラムとテープ下端を螺旋状に案内するリードを有する固定ドラムとにテープが巻きつけられ、テープ長手方向の移送と回転ドラムの回転とにより、第１のアジマス角度を有する磁気ヘッドにより形成される第１のトラックと、第１のアジマス角度とは異なる第２のアジマス角度を有する磁気ヘッドにより第１のトラックより遅れて形成される第２のトラックが順次記録および再生されるヘリカルスキャン方式情報記録再生装置であって、第１のトラックは前記第２のトラックにはさまれた第１のトラック幅を有する第１の標準領域部と、第１のトラック開始部に所定の長さに渡って第１のトラック両側に第２のトラックが形成されない第１のトラック幅よりも広い第２のトラック幅を有する第１の付加領域部とから構成され、第２のトラックは第１のトラックにはさまれた第１のトラック幅と実質的に等しいトラック幅を有する第２の標準領域部と、第２のトラック終了部に所定の長さに渡って前記第２のトラック両側に第１のトラックが形成されない第１のトラック幅よりも広いトラック幅を有する第２の付加領域部とから構成され、磁気ヘッドの幅は第１の標準領域部の幅より広い構成としたものである。
【００１３】
上記構成によれば、トラック開始および終了位置をテープ下端および上端部に近づけることにより、トラック開始および終了位置での磁気ヘッドとテープ間のスペーシング増加が発生する。しかし、トラック全体のトラック幅、すなわちトラックピッチ、を広げることなく、トラック開始および終了位置近傍のみのトラック幅を広げることにより、再生可能なトラック幅が広くなることで、再生出力劣化を防止でき、記録容量を向上させることができる。
【００１４】
上記目的を達成するため請求項４記載の発明は、トラック開始部に付加領域部の記録を行う磁気ヘッド幅の中心位置はヘッド頂点位置よりもテープ上端側へ偏移している構成としたものである。
【００１５】
上記構成によれば、トラック開始点近傍におけるヘッドとテープとの接触流域のヘッド上方への変化量に合わせ、ヘッドの頂点を下側に偏移、すなわち、ヘッドギャップ部は見かけ上、ヘッドの上方へ移動し、ヘッドギャップ部とテープとの隙間が小さくなり、再生出力劣化を防止でき、記録容量を向上させることが出来る。
【００１６】
上記目的を達成するため請求項５記載の発明は、トラック終了部に付加領域部の記録を行う磁気ヘッド幅の中心位置はヘッド頂点位置よりもテープ下端側へ偏移している構成としたものである。
【００１７】
上記構成によれば、トラック終了点近傍におけるヘッドとテープとの接触流域のヘッド下側への変化量に合わせ、ヘッドの頂点を上側に偏移、すなわち、ヘッドギャップ部は見掛け上、ヘッドの下方へ移動し、ヘッドギャップ部とテープとの隙間が小さくなり、再生出力劣化を防止でき、記録容量を向上させることが出来る。
【００１８】
【発明の実施の形態】
（第１の実施の形態）
ここで、本発明に係るヘリカルスキャン方式情報記録再生装置の第１の実施の形態を、図１から図８に基づいて説明する。
【００１９】
図１、図２および図３に示すように、固定ドラム４と同軸に回転自在に支持されている回転ドラム３からなるドラムユニット５と、テープ１をドラムユニット５のリード部４ａにヘリカルに巻きつけるガイドポスト６Ａ、６Ｂと、テープ１をキャプスタン７に押し付けるピンチローラ８と、回転によりテープ１を移送するキャプスタン７と、回転ドラム３に搭載された記録ヘッド２Ａ、２Ｂ、２Ｃ、２Ｄと、再生ヘッド１５Ａ、１５Ｂ、１５Ｃ、１５Ｄと、記録および再生信号を処理する信号処理回路１３と、記録ヘッド２および再生ヘッド１５の記録および再生動作タイミングを制御するタイミング制御回路１２とが具備されている。
【００２０】
図４に示すように、回転ドラム３に搭載された、４個の記録ヘッド２Ａ、２Ｂ、２Ｃ、２Ｄと４個の再生ヘッド１５Ａ、１５Ｂ、１５Ｃ、１５Ｄが、各々９０度間隔で均等に配置されている。４個の記録ヘッド２Ａ、２Ｂ、２Ｃ、２Ｄは、記録ヘッド幅ＲＨｗなるヘッドギャップ部２Ａｇ、２Ｂｇ、２Ｃｇ、２Ｄｇを有し、各ヘッドギャップの下端の相対高さは全て等しい高さに設定されている。再生ヘッド１５Ａ、１５Ｂ、１５Ｃ、１５Ｄも、再生ヘッド幅ＰＨｗなるヘッドギャップ部１５Ａｇ、１５Ｂｇ、１５Ｃｇ、１５Ｄｇを有し、各ヘッドギャップの下端の相対高さは全て等しい高さに設定されている。記録ヘッド２Ａ、２Ｂ、２Ｃ、２Ｄのヘッド幅ＲＨｗは、トラックピッチＴｐの１．３倍の幅としている。また、再生ヘッド１５Ａ、１５Ｂ、１５Ｃ、１５Ｄと記録ヘッド２Ａ、２Ｂ、２Ｃ、２Ｄとの相対高さは、記録ヘッド２Ａによる記録トラックを、再生ヘッド１５Ａが、４０５度遅れて走査するように設定されている。すなわち、トラックピッチをＴｐとすれば、９×Ｔｐ／２の相対高さとしている。タイミング制御回路１２は、記録ヘッド２に対しては、信号処理回路１３からの信号の記録動作タイミングを制御し、再生ヘッド１５に対しては、再生動作のタイミングを制御するものである。
【００２１】
図５は、各記録ヘッド２Ａ、２Ｂ、２Ｃ、２Ｄによる有効記録範囲を横軸とした時の記録動作タイミングを示し、図６は同様に再生ヘッド１５Ａ、１５Ｂ、１５Ｃ、１５Ｄによる有効記録範囲を再生するための、有効再生範囲を横軸とした時の再生動作タイミングを示す。
【００２２】
図５に示すように、記録ヘッド２Ａ、２Ｂ、２Ｃ、２Ｄの記録動作タイミングを、記録ヘッド２Ａ、２Ｃは、記録開始点ＳＲからＥＲ１までの１７４度、記録ヘッド２Ｂ、２Ｄは、記録開始点ＳＲ１からＥＲまでの１７４度と設定している。記録ヘッド２Ｂ、２Ｄは、記録ヘッド２Ａ、２Ｃの記録動作タイミングに比べΔｔｓ（６度）遅れて記録が開始され、Δｔｅ（６度）長く記録される。
【００２３】
図６に示すように、各再生ヘッド１５Ａ、１５Ｂ、１５Ｃ、１５Ｄの再生動作タイミングを、再生ヘッド１５Ａ、１５Ｃは、再生開始点ＳＰからＥＰ１までの１７４度、再生ヘッド１５Ｂ、１５Ｄは、再生開始点ＳＰ１からＥＰまでの１７４度と設定している。再生ヘッド１５Ｂ、１５Ｄは、再生ヘッド１５Ａ、１５Ｃの再生タイミングに比べΔｔｓ（６度）遅れて再生が開始され、Δｔｅ（６度）長く再生される構成としている。
【００２４】
以上のように構成されたヘリカルスキャン方式の情報記録再生装置について、以下図１から図８を参照して、その動作を述べる。
【００２５】
テープ１は、テープカセット１０からガイドポスト６Ａ、６Ｂにより引き出され、ドラムユニット５のリード部４ａに沿って巻きつけられる。キャプスタン７により、テープ１はテープ走行方向に駆動され、供給リール９Ａから巻き取りリール９Ｂへと送られる。
【００２６】
記録動作は、回転ドラム３を反時計方向に回転し、４個の記録ヘッド２Ａ、２Ｂ、２Ｃ、２Ｄにより、信号処理回路１３からの信号を、タイミング制御回路１２の記録タイミングで、テープ１に記録トラック１４Ａ、１４Ｂ、１４Ｃ、１４Ｄを順次記録することにより達成される。
【００２７】
図７に、４個の記録ヘッド２Ａ、２Ｂ、２Ｃ、２Ｄを所定の記録タイミングにより動作させた時の、テープ１への記録パターンを示す。
【００２８】
図７に示すように、記録ヘッド２Ａ、２Ｃは記録ヘッド２Ｂ、２Ｄに比べ、記録タイミングが早いため、記録ヘッド２Ａ、２Ｃによって記録された記録トラック１４Ａ、１４Ｃのテープ下端１ａ近傍では、トラック幅Ｔｗ１に比べ幅広の記録トラック幅Ｔｗ２（＝ヘッド幅ＲＨｗ）が形成される。一方、記録ヘッド２Ｂ、２Ｄにより記録された記録トラック１４Ｂ、１４Ｄのテープ上端１ｂ近傍で、幅広の記録トラック幅Ｔｗ２が形成される。
【００２９】
再生動作は、再生ヘッド１５Ａ、１５Ｂ、１５Ｃ、１５Ｄが、記録トラック１４Ａ、１４Ｂ、１４Ｃ、１４Ｄを順に走査する。再生ヘッド１５Ａ、１５Ｂ、１５Ｃ、１５Ｄの再生信号は、再生アンプ１６Ａ、１６Ｂ、１６Ｃ、１６Ｄにより増幅され、タイミング制御回路１２の再生動作タイミングで、信号処理回路１３に渡され、処理される。
【００３０】
図８に、再生ヘッド１５Ａが、記録トラック１４Ａを走査する状態の説明図を、簡単のため、他のヘッド、トラックを省略して示す。
【００３１】
記録トラック１４Ａの、標準の記録トラック幅Ｔｗ１と幅の広い記録トラックＴｗ２を再生ヘッド１５Ａが走査した時の、再生ヘッド１５Ａのヘッド再生出力について説明する。
【００３２】
図８に示すように、再生ヘッド１５Ａのヘッド幅ＰＨｗは、標準トラック幅Ｔｗ１の約１．５倍に設定している。また、記録ヘッド２のヘッド幅ＲＨｗは、標準トラック幅Ｔｗ１の１．３倍としており、再生ヘッド１５Ａが、標準トラック幅Ｔｗ１の中心を走査した時、記録ヘッド２と再生ヘッド１５Ａとのヘッド幅の関係が、ＲＨｗ＞（ＰＨｗ＋Ｔｗ１）／２を満たせば、再生可能なトラック幅が、Ｋｐ｛＝（Ｈｐ−Ｔｗ１）／２｝だけ広くなる。ヘッドの再生出力は再生トラック幅に比例するので、再生ヘッド１５Ａの再生出力は、（Ｔｗ１＋Ｋｐ）／Ｔｗ１だけ改善される。
【００３３】
ここでは、説明は省略するが、記録トラック１４Ｂ、１４Ｃ、１４Ｄの再生においても、記録トラック１４Ａと同様の改善がなされる。
【００３４】
ここで具体例として、回転ドラム３の直径を２１．７ｍｍ、回転数を１８０００ｒｐｍ、テープ走行速度を約４．９ｍｍ／ｓｅｃ、固定ドラム４のリード角度を９．１５度とした時、標準のトラック幅Ｔｗ１（＝トラックピッチＴｐ）は、約４μｍ、トラック幅Ｔｗ２は、約５．２μｍとなり、ヘッド幅６μｍの再生ヘッド１５Ａ、１５Ｂ、１５Ｃ、１５Ｄが、５．２μｍのトラック幅Ｔｗ２を再生するとき、標準トラック幅Ｔｗ１を再生する場合に比べ、改善幅Ｋｐ＝１μｍとなり、再生ヘッド出力は約２ｄＢの改善が図られる。この改善により、テープ下端１ｂ近傍および、テープ上端近傍のヘッドとテープとのスペーシングによる劣化を防止することができている。
【００３５】
（第２の実施の形態）
ここで、本発明に係るヘリカルスキャン方式情報記録再生装置の第２の実施の形態を、図９および図１０に基づいて説明する。
【００３６】
図９中（ａ）、（ｂ）にテープ上下端近傍における、ヘッド出力を、更に安定して得ることが出来るヘリカルスキャン方式情報記録再生装置のヘッド構成を示す。図９中（ａ）は、再生ヘッド１５Ａ、１５Ｃの側面図と正面図を、図９中（ｂ）は再生ヘッド１５Ｂ、１５Ｄの側面図、正面図を、それぞれ示す。
【００３７】
図９中（ａ）に示すように、記録トラック１４Ａ、１４Ｃを再生する再生ヘッド１５Ａ、１５Ｃは、正面から見た干渉縞の中心位置はヘッドギャップ部１５Ａｇ、１５Ｃｇの下側に位置する形状となるように、すなわち再生ヘッド１５Ａ、１５Ｃの頂点位置がヘッドギャップ部１５Ａｇ、１５Ｃｇの下側に位置するように回転ドラム３に取り付けられている。このように、再生ヘッド１５Ａ、１５Ｃの頂点位置をヘッドギャップの下側に偏移させることで、特に、テープ上端に位置する記録トラック１４Ａ、１４Ｃの開始点付近、すなわちドラムユニット５へのテープ１の巻き付け開始部、におけるヘッドギャップとテープとのスペーシングを抑えることが出来る。
【００３８】
一方、図９中（ｂ）に示すように、記録トラック１４Ｂ、１４Ｄを再生する再生ヘッド１５Ｂ、１５Ｄは、干渉縞の中心位置はヘッドギャップ部１５Ｂｇ、１５Ｄｇの上側に位置する形状となるように、すなわち、再生ヘッド１５Ｂ、１５Ｄの頂点位置がヘッドギャップ部１５Ｂｇ、１５Ｄｇの上側に位置するように回転ドラム３に取り付けられている。このように、再生ヘッド１５Ｂ、１５Ｄの頂点位置をヘッドギャップの上側に偏移させることで、テープ上端近傍に位置する記録トラック１４Ｂ、１４Ｄの終了点近傍、すなわちドラムユニット５へのテープ１の巻き付け終了部、におけるヘッドギャップとテープとのスペーシングを抑えることが出来る。
【００３９】
図１０は、（ａ）ドラムへのテープ巻き付け開始（トラック開始点）近傍、（ｂ）巻き付け中央（トラック中央）近傍、（ｃ）巻き付け終了（トラック終了）近傍におけるヘッドとテープとの接触状態を示す要部断面図である。
【００４０】
図１０を用いて、ドラム５へのテープ１の巻き付け開始および、終了点近傍におけるヘッドギャップとテープとのスペーシング低減原理について説明する。
【００４１】
ドラムユニット５へのテープ１の巻き付け開始および終了点では、テープ１からの、ヘッド１５への押し付け力が弱くなっている。更に、図１０中（ａ）に示すように、ヘッド１５はテープ１の下端部近傍を突き出すように接触するため、ヘッド１５の下側にテープ１とのスペーシングＳＰが発生する。しかし、ドラムユニット５の巻き付け開始部を再生する再生ヘッド１５Ａ、１５Ｃのヘッドギャップ部１５Ａｇ、１５Ｃｇはヘッド頂点位置よりも上側に偏移させているため、ヘッドギャップ部１５Ａｇ、１５Ｃｇとテープ１との間のスペーシングが抑制され、安定したヘッド出力が得られる。
【００４２】
図１０中（ｃ）では、ヘッド１５は、テープ１の上端部近傍を突き出すように接触するため、ヘッド１５の上側にスペーシングが発生する。しかし、ドラムユニット５の巻き付け終了部を再生する再生ヘッド１５Ｂ、１５Ｄのヘッドギャップ部１５Ｂｇ、１５Ｄｇはヘッド頂点位置よりも下側に偏移させているため、ヘッドギャップ部１５Ｂｇ、１５Ｄｇとテープ１との間のスペーシングが抑制され、安定したヘッド出力が得られる。
【００４３】
図１０中（ｂ）での、ドラムユニット５へのテープ１の巻き付け中央部においては、ヘッド１５の上下側ともテープ１と均等に接触しており、ヘッド１５のヘッド頂点位置とギャップ位置との多少の偏移には影響受けることなく安定したヘッド出力を得ることが出来る。
【００４４】
従って、よりテープ下端に近い、トラック開始点近傍を走査するヘッド１５Ａ、１５Ｃの頂点位置をヘッドギャップ下側へ偏移させ、よりテープ上端に近い、トラック終了点近傍を走査するヘッド１５Ｂ、１５Ｄの頂点位置をヘッドギャップ上側に偏移させることにより、テープ上下端近傍の、ヘッドギャップ部とテープとのスペーシングを抑え、ヘッドの再生出力を更に安定して得ることが出来ている。
【００４５】
ここでは、再生時における、スペーシングの低減のみを説明したが、スペーシングによるヘッド出力への影響は、記録時および再生時共に影響するものである。従って、ここでは、説明は省略するが、記録ヘッド２のヘッド頂点位置の偏移によっても、再生出力の安定化が図られる。
【００４６】
（第３の実施の形態）
ここで、本発明に係るヘリカルスキャン方式情報記録再生装置の第３の実施の形態を、図１１から図１３に基づいて説明する。
【００４７】
図１１、図１２は、回転ドラム３へのヘッド搭載時の占有スペースを小さくするために、１つのヘッドベース２１に２個のヘッドが貼り付けられた記録コンビヘッド１７、１８、再生コンビヘッド１９、２０を回転ドラム３に搭載した状態を示す図である。このような、コンビヘッドによる再生ヘッド出力波形の特徴は、先行側再生ヘッド１９Ａ、１９Ｂでは、ドラムへのテープ巻き付け開始付近でのヘッド出力の劣化量が大きく、後行側再生ヘッド２０Ａ、２０Ｂでは、ドラムへのテープ巻き付け終了付近でのヘッド出力の劣化量が大きいことである。
【００４８】
従って、コンビヘッドを利用した構成での記録は、後行側記録ヘッド１８Ａ、１８Ｂにより、記録トラック１４Ａ、１４Ｃを形成し、先行側記録ヘッド１７Ａ、１７Ｂにより、記録トラック１４Ｂ、１４Ｄを形成する。更に、再生時は、後行側再生ヘッド２０Ａ、２０Ｂにより記録トラック１４Ａ、１４Ｃを走査し、先行側再生ヘッド１９Ａ、１９Ｂにより記録トラック１４Ｂ、１４Ｄを走査することで、コンビヘッド特有のヘッド出力劣化部のみを幅広のトラックに形成することで、再生出力の劣化を防止することが出来ている。
【００４９】
【発明の効果】
以上のように本発明によれば、トラック開始及び終了部付近のみの記録トラック幅の幅広化により、テープへの有効記録再生面積を削減することなく、ヘッドとテープとのスペーシングによるヘッド出力劣化を、抑えることが出来るという顕著な効果が得られる。
【図面の簡単な説明】
【図１】本発明の第１の実施の形態によるヘリカルスキャン方式情報記録再生装置の平面図である。
【図２】本発明の第１の実施の形態によるドラムユニットへのテープ巻き付け状態の説明図である。
【図３】本発明の第１の実施の形態による回路部の説明図である。
【図４】本発明の第１の実施の形態による記録再生ヘッドの相対高さの配置図である。
【図５】本発明の第１の実施の形態による記録動作タイミングチャート図である。
【図６】本発明の第１の実施の形態による再生動作タイミングチャート図である。
【図７】本発明の第１の実施の形態による記録トラックの説明図である。
【図８】本発明の第１の実施の形態による再生ヘッド走査の説明図である。
【図９】（ａ）、（ｂ）は、それぞれ、本発明の第２の実施の形態によるヘッドの側面図および正面図である。
【図１０】（ａ）〜（ｃ）は、それぞれ、本発明の第２の実施の形態によるヘッドとテープとの接触状態の説明図である。
【図１１】本発明の第３の実施の形態によるコンビヘッド配置の説明図である。
【図１２】本発明の第３の実施の形態によるコンビヘッドの説明図である。
【図１３】本発明の第３の実施の形態によるコンビヘッド出力波形の説明図である。
【図１４】従来例の記録トラックの説明図である。
【図１５】従来例のヘッド出力の説明図である。
【符号の説明】
１　テープ
２　記録ヘッド
３　回転ドラム
４　固定ドラム
５　ドラムユニット
９　リール
１１　記録アンプ
１２　タイミング制御回路
１３　信号処理回路
１４　記録トラック
１５　再生ヘッド
１６　再生アンプ
１７　先行記録ヘッド
１８　後行記録ヘッド
１９　先行再生ヘッド
２０　後行再生ヘッド
【図１】
2004013960.tif 000003
【図２】
2004013960.tif 000004
【図３】
2004013960.tif 000005
【図４】
2004013960.tif 000006
【図５】
2004013960.tif 000007
【図６】
2004013960.tif 000008
【図７】
2004013960.tif 000009
【図８】
2004013960.tif 000010
【図９】
2004013960.tif 000011
【図１０】
2004013960.tif 000012
【図１１】
2004013960.tif 000013
【図１２】
2004013960.tif 000014
【図１３】
2004013960.tif 000015
【図１４】
2004013960.tif 000016
【図１５】
2004013960.tif 000017